(57)【要約】【課題】伝送装置をネットワークに追加設置する場合に、現地での設定作業を行うことなく、監視制御用の回線を設定することを可能にすること。【解決手段】課題を解決するため本発明に係る監視制御回線設定方法は、第１の伝送装置が、未使用のチャネルを通じて、第２の伝送装置へリンク確立要求を送信するリンク確立要求工程と、リンク確立要求を受信した第２の伝送装置が、監視制御用の回線を確立するためのチャネルを決定し、そのチャネルを通じて、第１の伝送装置へリンク確立応答を送信するリンク確立応答工程と、リンク確立応答を受信した前記第１の伝送装置が、リンク確立要求を送信したチャネルを監視制御用の回線を確立するためのチャネルに割り当てる接続確立工程とを含む。【選択図】        図４
2008079116.tif 000002
【特許請求の範囲】
【請求項１】
第１の伝送装置と第２の伝送装置との間で監視制御用の回線を自動設定する監視制御回線設定方法であって、
前記第１の伝送装置が、前記第２の伝送装置へリンク確立要求を送信するリンク確立要求工程と、
前記リンク確立要求を受信した前記第２の伝送装置が、前記第１の伝送装置との間で監視制御用の回線を確立するためのチャネルを決定し、そのチャネルを通じて、前記第１の伝送装置へリンク確立応答を送信するリンク確立応答工程と、
前記リンク確立応答を受信した前記第１の伝送装置が、前記リンク確立要求を送信したチャネルを前記第２の伝送装置との間で監視制御用の回線を確立するためのチャネルに割り当てる接続確立工程と
を含んだことを特徴とする監視制御回線設定方法。
【請求項２】
監視制御用の回線が確立された後に、前記第１の伝送装置と第２の伝送装置が自装置の識別番号を送信し合う識別番号交換工程と、
前記識別番号交換工程において取得された対向装置の識別番号が、既に確立されている他の監視制御用の回線を通じて取得された識別番号と同一である場合に、同一の識別番号が取得された監視制御用の回線を束ねて使用するように設定する回線結合工程と
をさらに含んだことを特徴とする請求項１に記載の監視制御回線設定方法。
【請求項３】
前記第１の伝送装置または第２の伝送装置がネットワークに新規設置された新規伝送装置である場合に、
監視制御用の回線が確立された後に、前記新規伝送装置が、自身に予め割り当てられた固有の番号に基づいて、自装置を識別するためのＩＤを生成するＩＤ生成工程と、
前記ＩＤ生成工程において生成されたＩＤを、前記ネットワークを全体制御するネットワーク管理端末へ通知するＩＤ通知工程と
をさらに含んだことを特徴とする請求項１または２に記載の監視制御回線設定方法。
【請求項４】
前記第１の伝送装置または第２の伝送装置がネットワークに新規設置された新規伝送装置である場合に、
監視制御用の回線が確立された後に、前記ネットワークを全体制御するネットワーク管理端末が、自身が記憶する全伝送装置のＩＤと重複することがないように前記新規伝送装置を識別するためのＩＤを生成するＩＤ生成工程と、
前記ＩＤ生成工程において生成されたＩＤを、前記新規伝送装置へ通知するＩＤ通知工程と
をさらに含んだことを特徴とする請求項１または２に記載の監視制御回線設定方法。
【請求項５】
前記第１の伝送装置または第２の伝送装置がネットワークに新規設置された新規伝送装置である場合に、
監視制御用の回線が確立された後に、前記新規伝送装置の対向の伝送装置が、自装置を識別するためのＩＤにユニークな文字列を付加することにより、前記新規伝送装置を識別するためのＩＤを生成するＩＤ生成工程と、
前記ＩＤ生成工程において生成されたＩＤを、前記新規伝送装置へ通知するＩＤ通知工程と
をさらに含んだことを特徴とする請求項１または２に記載の監視制御回線設定方法。
【発明の詳細な説明】
【技術分野】
【０００１】
この発明は、隣接する伝送装置の間に監視制御用の回線を設定する監視制御回線設定方法に関し、特に、伝送装置をネットワークに追加設置する場合に、現地での設定作業を行うことなく、監視制御用の回線を設定することが可能な監視制御回線設定方法に関する。
【背景技術】
【０００２】
ＳＯＮＥＴ（Synchronous Optical Network）／ＳＤＨ（Synchronous Digital Hierarchy）に代表される同期デジタル伝送方式をもちいたネットワークにおいては、ネットワークを構成する伝送装置を遠隔地から監視制御するために、ＯＳＩ（Open Systems Interconnection）ネットワークが構築され、このＯＳＩネットワークを通じてＴＬ−１等の保守コマンドを実行することにより、伝送装置の設定や、各種アラームの収集等が行われている。
【０００３】
ＳＯＮＥＴ／ＳＤＨ網におけるＯＳＩネットワークは、主信号の伝送のためではなく、伝送装置の保守のために使用される通信経路であり、伝送装置のファームウェアをダウンロードするためにも使用される。
【０００４】
ＯＳＩネットワークは、一般に、ＳＯＮＥＴ／ＳＤＨフレームのセクションオーバヘッド（ＳＯＨ）内にあるＤ１〜Ｄ３バイト（１９２ｋｂｐｓ）とＤ４〜Ｄ１２バイト（５７６ｋｂｐｓ）をもちいたＤＣＣ（Ｄａｔａ  Ｃｏｍｍｕｎｉｃａｔｉｏｎ  Ｃｈａｎｎｅｌ：データ通信チャネル）をもちいて実現されている（ＤＣＣについては、例えば、特許文献１〜３を参照）。
【０００５】
【特許文献１】特開２００５−０８６６１９号公報
【特許文献２】特開平３−２２６０３５号公報
【特許文献３】特開２０００−２３２４４７号公報
【発明の開示】
【発明が解決しようとする課題】
【０００６】
このように、ＳＯＮＥＴ／ＳＤＨネットワークでは、ＯＳＩネットワーク経由で伝送装置を遠隔地から監視制御することが可能になっているが、新たな伝送装置をＳＯＮＥＴ／ＳＤＨネットワークに追加設置する場合には、現地での設定作業が必要であった。
【０００７】
具体的には、現地において、新たな伝送装置に光ケーブルまたは同軸ケーブルを接続した後、ネットワークを集中管理するネットワーク管理端末（ＮＭＳ：Network Management System）から遠隔で監視制御を行えるようにするために、追加設置した伝送装置にパソコンなどの端末を接続し、手動でＤＣＣの設定を行い、さらに、ネットワーク内で唯一無二なＴＩＤ（Target ID）を付与するためのコマンドを投入する必要があった。
【０００８】
伝送装置にケーブルを接続する作業は比較的単純な作業であるものの、このような煩雑な設定作業が必要となるため、新たな伝送装置をＳＯＮＥＴ／ＳＤＨネットワークに追加設置するに当たっては、ネットワーク管理者が現地に赴く必要があり、特に、複数個所に伝送装置を追加設置する場合に、ネットワーク管理者に大きな負担がかかっていた。
【０００９】
この発明は、上述した従来技術による問題点を解消するためになされたものであり、伝送装置をネットワークに追加設置する場合に、現地での設定作業を行うことなく、監視制御用の回線を設定することが可能な監視制御回線設定方法を提供することを目的とする。
【課題を解決するための手段】
【００１０】
上述した課題を解決し、目的を達成するため、本発明の一つの態様では、第１の伝送装置と第２の伝送装置との間で監視制御用の回線を自動設定する監視制御回線設定方法であって、前記第１の伝送装置が、前記第２の伝送装置へリンク確立要求を送信するリンク確立要求工程と、前記リンク確立要求を受信した前記第２の伝送装置が、前記第１の伝送装置との間で監視制御用の回線を確立するためのチャネルを決定し、そのチャネルを通じて、前記第１の伝送装置へリンク確立応答を送信するリンク確立応答工程と、前記リンク確立応答を受信した前記第１の伝送装置が、前記リンク確立要求を送信したチャネルを前記第２の伝送装置との間で監視制御用の回線を確立するためのチャネルに割り当てる接続確立工程とを含んだことを特徴とする。
【００１１】
この発明の態様によれば、隣接する伝送装置の間で自律的にメッセージを交換することにより、自動的に監視制御用の回線が確立されるように構成したので、伝送装置の追加設置時に、現地において、伝送装置に端末を直接接続して行わなければならなかった設定作業が不要となり、ネットワーク管理者の負荷が軽減され、また、人手による設定によって生じる設定ミスを回避することができる。
【００１２】
また、本発明の他の態様では、上記の発明の態様において、監視制御用の回線が確立された後に、前記第１の伝送装置と第２の伝送装置が自装置の識別番号を送信し合う識別番号交換工程と、前記識別番号交換工程において取得された対向装置の識別番号が、既に確立されている他の監視制御用の回線を通じて取得された識別番号と同一である場合に、同一の識別番号が取得された監視制御用の回線を束ねて使用するように設定する回線結合工程とをさらに含んだことを特徴とする。
【００１３】
この発明の態様によれば、隣接する伝送装置間に複数の監視制御用の回線が設定された場合は、それらを束ねて１本の回線として使用するように構成したので、人手による設定を行うことなく、高速で信頼性の高い監視制御用の回線を設定することができる。
【００１４】
また、本発明の他の態様では、上記の発明の態様において、前記第１の伝送装置または第２の伝送装置がネットワークに新規設置された新規伝送装置である場合に、監視制御用の回線が確立された後に、前記新規伝送装置が、自身に予め割り当てられた固有の番号に基づいて、自装置を識別するためのＩＤを生成するＩＤ生成工程と、前記ＩＤ生成工程において生成されたＩＤを、前記ネットワークを全体制御するネットワーク管理端末へ通知するＩＤ通知工程とをさらに含んだことを特徴とする。
【００１５】
この発明の態様によれば、追加設置された伝送装置が、ユニークであることが保証されている番号を基にして自装置を識別するためのＩＤを生成し、そのＩＤをネットワーク管理端末へ通知するように構成したので、追加設置された伝送装置に対して、ユニークなＩＤを自動的に割り当てることができ、ネットワーク管理端末からそのＩＤを指定して、追加設置された伝送装置を遠隔制御することが可能になる。
【００１６】
また、本発明の他の態様では、上記の発明の態様において、前記第１の伝送装置または第２の伝送装置がネットワークに新規設置された新規伝送装置である場合に、監視制御用の回線が確立された後に、前記ネットワークを全体制御するネットワーク管理端末が、自身が記憶する全伝送装置のＩＤと重複することがないように前記新規伝送装置を識別するためのＩＤを生成するＩＤ生成工程と、前記ＩＤ生成工程において生成されたＩＤを、前記新規伝送装置へ通知するＩＤ通知工程とをさらに含んだことを特徴とする。
【００１７】
この発明の態様によれば、全ての伝送装置のＩＤを認識しているネットワーク管理端末がユニークなＩＤを生成し、そのＩＤを追加設置された伝送装置に設定するように構成したので、追加設置された伝送装置に対して、ユニークなＩＤを自動的に割り当てることができ、ネットワーク管理端末からそのＩＤを指定して、追加設置された伝送装置を遠隔制御することが可能になる。
【００１８】
また、本発明の他の態様では、上記の発明の態様において、前記第１の伝送装置または第２の伝送装置がネットワークに新規設置された新規伝送装置である場合に、監視制御用の回線が確立された後に、前記新規伝送装置の対向の伝送装置が、自装置を識別するためのＩＤにユニークな文字列を付加することにより、前記新規伝送装置を識別するためのＩＤを生成するＩＤ生成工程と、前記ＩＤ生成工程において生成されたＩＤを、前記新規伝送装置へ通知するＩＤ通知工程とをさらに含んだことを特徴とする。
【００１９】
この発明の態様によれば、追加設置された伝送装置に隣接する伝送装置が、自装置のＩＤに連番等を追加することによってユニークなＩＤを生成し、そのＩＤを追加設置された伝送装置に通知するように構成したので、追加設置された伝送装置に対して、ユニークなＩＤを自動的に割り当てることができ、ネットワーク管理端末からそのＩＤを指定して、追加設置された伝送装置を遠隔制御することが可能になる。
【発明の効果】
【００２０】
本発明の一つの態様によれば、隣接する伝送装置の間で自律的にメッセージを交換することにより、自動的に監視制御用の回線が確立されるように構成したので、伝送装置の追加設置時に、現地において、伝送装置に端末を直接接続して行わなければならなかった設定作業が不要となり、ネットワーク管理者の負荷が軽減され、また、人手による設定によって生じる設定ミスを回避することができるという効果を奏する。
【００２１】
また、本発明の他の態様によれば、隣接する伝送装置間に複数の監視制御用の回線が設定された場合は、それらを束ねて１本の回線として使用するように構成したので、人手による設定を行うことなく、高速で信頼性の高い監視制御用の回線を設定することができるという効果を奏する。
【００２２】
また、本発明の他の態様によれば、追加設置された伝送装置が、ユニークであることが保証されている番号を基にして自装置を識別するためのＩＤを生成し、そのＩＤをネットワーク管理端末へ通知するように構成したので、追加設置された伝送装置に対して、ユニークなＩＤを自動的に割り当てることができ、ネットワーク管理端末からそのＩＤを指定して、追加設置された伝送装置を遠隔制御することが可能になるという効果を奏する。
【００２３】
また、本発明の他の態様によれば、全ての伝送装置のＩＤを認識しているネットワーク管理端末がユニークなＩＤを生成し、そのＩＤを追加設置された伝送装置に設定するように構成したので、追加設置された伝送装置に対して、ユニークなＩＤを自動的に割り当てることができ、ネットワーク管理端末からそのＩＤを指定して、追加設置された伝送装置を遠隔制御することが可能になるという効果を奏する。
【００２４】
また、本発明の他の態様によれば、追加設置された伝送装置に隣接する伝送装置が、自装置のＩＤに連番等を追加することによってユニークなＩＤを生成し、そのＩＤを追加設置された伝送装置に通知するように構成したので、追加設置された伝送装置に対して、ユニークなＩＤを自動的に割り当てることができ、ネットワーク管理端末からそのＩＤを指定して、追加設置された伝送装置を遠隔制御することが可能になるという効果を奏する。
【発明を実施するための最良の形態】
【００２５】
以下に添付図面を参照して、本発明に係る監視制御回線設定方法の好適な実施の形態を詳細に説明する。
【実施例１】
【００２６】
まず、ＳＯＮＥＴ／ＳＤＨ網のネットワーク構成について説明する。図１は、ＳＯＮＥＴ／ＳＤＨ網のネットワーク構成の一例を示す図である。同図に示したネットワークは、伝送装置（ＮＥ：Network Element）１００Ａ〜１００ＥをＯＣ−３等の光ファイバケーブル３００で接続して構成されている。
【００２７】
そして、伝送装置１００Ｄには、このネットワーク全体の監視制御を行うためのネットワーク管理端末２００がＬＡＮ４００によって接続されている。なお、伝送装置１００Ｄとネットワーク管理端末２００の接続は、シリアルケーブル等によって行ってもよい。伝送装置１００Ｄのように、ネットワーク管理端末２００が接続されている伝送装置は、特に、Ｇａｔｅｗａｙ  ＮＥと呼ばれる。
【００２８】
ネットワークを構成する全ての伝送装置には、ユニークなＴＩＤが予め設定され、ネットワーク管理者は、ネットワーク管理端末２００からＴＩＤを指定してＴＬ−１でログインすることにより、そのＴＩＤが示す伝送装置のクロスコネクト等の設定や、発生しているアラームの収集を行うことができる。
【００２９】
ＴＬ−１等を遠隔実行するためにもちいられるＤＣＣ回線は、各伝送装置間を接続する光ファイバケーブル３００を通じて伝送されるフレームのオーバヘッド部のＤバイト情報をもちいて実現される。ＴＬ−１等の保守コマンドは、ＤＣＣ回線を通じて伝送されるものであるため、ＤＣＣ回線の初期設定は、ＴＬ−１等をもちいて遠隔実行することはできない。
【００３０】
次に、図１に示した伝送装置１００Ａ〜１００Ｅの構成について説明する。伝送装置１００Ａ〜１００Ｅは、いずれも同様の構成を有するので、ここでは、伝送装置１００Ａを例にして構成の説明を行う。
【００３１】
図２は、伝送装置１００Ａの構成を示すブロック図である。同図に示すように、伝送装置１００Ａは、インタフェース部１Ａ〜１Ｃと、ＤＣＣ  ＭＵＸ部２と、ＬＡＰＤ（Link Access Procedure on the D-channel）コントローラ３Ａ〜３Ｃと、多重分離部６と、ＤＣＣ制御部７と、ＯＳＩプロトコル終端部８と、ＴＩＤ受信部９と、ＴＩＤ生成部１０と、管理データ格納部１１と、ＴＡＲＰ（Tid Address Resolution Protocol）キャッシュ１２とを有する。なお、説明を簡単にするため、同図では、ＤＣＣ回線の設定に関連した部位以外の図示を省略している。
【００３２】
インタフェース部１Ａ〜１Ｃは、それぞれ、ＳＯＮＥＴ／ＳＤＨのケーブルを終端し、ＳＯＮＥＴ／ＳＤＨ信号のペイロード部とオーバヘッド部を分離した後、オーバヘッド部に含まれるＤバイト情報をＤＣＣ  ＭＵＸ部２に送信する。ＤＣＣ  ＭＵＸ部２は、ＤＣＣ制御部７の指示に従って、インタフェース部１Ａ〜１ＣとＬＡＰＤコントローラ３Ａ〜３Ｃとの間を接続する。
【００３３】
ＬＡＰＤコントローラ３Ａ〜３Ｃは、ＤＣＣのデータリンク層プロトコルであるＬＡＰＤプロトコルを終端する。そして、ＬＡＰＤコントローラ３Ａは、受信部４Ａと送信部５Ａを含み、ＬＡＰＤコントローラ３Ｂは、受信部４Ｂと送信部５Ｂを含み、ＬＡＰＤコントローラ３Ｃは、受信部４Ｃと送信部５Ｃを含む。
【００３４】
受信部４Ａ〜４Ｃは、一般的なＬＡＰＤ信号を受信する他、後述するリンク確立要求や接続ＩＤ通知等が隣接する伝送装置から送られるのを監視して受信する。送信部５Ａ〜５Ｃは、一般的なＬＡＰＤ信号の送信を行う他、隣接する伝送装置へリンク確立要求や接続ＩＤ通知等を送信する。
【００３５】
なお、以下の説明では、インタフェース部１Ａ〜１Ｃのいずれかを特定しない場合は、これらをインタフェース部１と呼ぶこととする。同様に、ＬＡＰＤコントローラ３Ａ〜３Ｃ、受信部４Ａ〜４Ｃ、送信部５Ａ〜５Ｃについても、いずれかを特定しない場合は、それぞれ、ＬＡＰＤコントローラ３、受信部４、送信部５と呼ぶこととする。また、図２の例では、インタフェース部１と、ＬＡＰＤコントローラ３の数がいずれも３個となっているが、これらの数は３個である必要はなく、両者が同数である必要もない。
【００３６】
多重分離部６は、隣接する伝送装置との間に複数のＤＣＣ回線が設定されている場合にＬＡＰＤ信号の多重化と分離を行う。具体的には、複数のＤＣＣ回線が設定されている隣接伝送装置から送信されたＬＡＰＤ信号を受信部４が受信した場合は、多重分離部６は、それらの信号を当初の順序に並べ替えて多重化する。また、ＯＳＩプロトコル終端部８から、複数のＤＣＣ回線が設定されている隣接伝送装置へ信号が送信される場合は、それぞれのＤＣＣ回線に接続された送信部５へ信号を分割して送信する。
【００３７】
ＤＣＣ制御部７は、受信部４におけるリンク確立要求の受信状況に基づき、ＤＣＣ  ＭＵＸ部２に接続切り替え信号を送信する。また、受信部４が受信する接続ＩＤ通知の情報を取得し、同じ接続ＩＤ通知を受信した受信部４があった場合は、それらを多重分離するように多重分離部６に指示する。ＯＳＩプロトコル終端部８は、ＬＡＰＤプロトコルの上位に位置するＯＳＩプロトコルを終端し、ＴＬ−１コマンド等のアプリケーションサービスを提供する。
【００３８】
ＴＩＤ受信部９は、ＯＳＩプロトコル終端部８で受信した信号のうち、後述するＴＩＤ設定要求を終端し、これから抽出したＴＩＤを管理データ格納部１１に格納し、自装置のＴＩＤとして設定する。ＴＩＤ生成部１０は、自装置に設定するＴＩＤまたは隣接する伝送装置に設定するＴＩＤを生成し、ネットワーク管理端末２００または隣接する伝送装置に送信するため、ＯＳＩプロトコル終端部８に送信する。
【００３９】
管理データ格納部１１は、装置に設定するＴＩＤ等の各種管理情報を格納する。ＴＡＲＰキャッシュ１２は、ＯＳＩネットワークに属する伝送装置がもつ一意な値であるＮＳＡＰ（Network Service Access Point）アドレスと、ＴＩＤの対応を記憶する。
【００４０】
次に、図１に示したネットワーク管理端末２００の構成について説明する。図３は、ネットワーク管理端末２００の構成を示すブロック図である。同図に示すように、ネットワーク管理端末２００は、ＬＡＮ終端部１３と、コマンド送信部１４と、コマンド受信部１５と、ネットワーク管理部１６と、ＴＩＤ処理部１７と、管理データ格納部１８とを有する。
【００４１】
ＬＡＮ終端部１３は、伝送装置のＯＳＩプロトコル終端部８とのインタフェースを提供する。コマンド送信部１４は、伝送装置の設定に必要なコマンドや制御パケットを生成する。コマンド受信部１５は、伝送装置から送信されたコマンド等を含む制御パケットを受信し、解析する。
【００４２】
ネットワーク管理部１６は、ネットワーク構成を画面上に表示するなどといった、従来のネットワーク管理機能を提供する。ＴＩＤ処理部１７は、伝送装置に割り振るＴＩＤの自動生成や、伝送装置から通知されたＴＩＤを管理データ格納部１８に格納するといった機能を提供する。管理データ格納部１８は、ネットワーク管理端末が管理すべき各種情報を格納する。
【００４３】
次に、図１に示したネットワークにおいて、既にネットワーク接続が完了している伝送装置１００Ａに伝送装置１００Ｅが新たに接続された場面を想定して、ＤＣＣ回線の自動設定について説明する。
【００４４】
なお、前提条件として、伝送装置１００Ａのインタフェース部１Ａと伝送装置１００Ｅのインタフェース部１Ａ間、さらに、伝送装置１００Ａのインタフェース部１Ｂと伝送装置１００Ｅのインタフェース部１Ｂ間が、ＯＣ−３等の光ファイバケーブルまたはＥＣ−１等の同軸ケーブルをもちいて既に接続されているものとする。
【００４５】
図４は、ＤＣＣ回線の自動設定の処理手順を示すシーケンス図である。伝送装置１００ＡのＤＣＣ制御部７は、定期的にインタフェース部１を監視し、新たにケーブルが接続されたインタフェース部があるかどうかを確認する。ここで、ＤＣＣ制御部７が、インタフェース部１Ａに新たにケーブルが接続されたことが検出されたものとする（ステップＳ１０１）。
【００４６】
ＤＣＣ制御部７は、インタフェース部１Ａに新たにケーブルが接続されたことが検出されると、インタフェース部１Ａに接続されたケーブルを通じたＤＣＣ回線を設定するため、まず、管理データ格納部１１に格納されているＤＣＣ管理テーブルを参照して、ＬＡＰＤコントローラ３の未使用チャネルを検索する。
【００４７】
ＤＣＣ管理テーブルの一例を図５−１に示す。ＤＣＣ管理テーブルは、ＤＣＣ回線の設定状態をＬＡＰＤチャネルごとに管理するためのテーブルであり、ＬＡＰＤチャネル、使用状態、接続ラインＮｏ、対向装置ＩＤといった項目を有する。
【００４８】
ＬＡＰＤチャネルは、ＬＡＰＤチャネルを識別するための番号が設定される項目である。ＬＡＰＤチャネルとＬＡＰＤコントローラ３は、１対１の関係をもち、例えば、チャネル１は、ＬＡＰＤコントローラ３Ａに対応し、チャネル２は、ＬＡＰＤコントローラ３Ｂに対応し、チャネル３は、ＬＡＰＤコントローラ３Ｃに対応する。
【００４９】
使用状態は、ＬＡＰＤチャネルがＤＣＣ回線を設定するために使用中であるか否かが設定される項目である。接続ラインＮｏは、ＤＣＣ回線が設定されているケーブル（ライン）を識別するための番号が設定される項目である。接続ラインＮｏとインタフェース部１は、１対１の関係をもち、例えば、ライン１は、インタフェース部１Ａに接続されたケーブルに相当し、ライン２は、インタフェース部１Ｂに接続されたケーブルに相当し、ライン３は、インタフェース部１Ｃに接続されたケーブルに相当する。
【００５０】
対向装置ＩＤは、ＤＣＣ回線の対向の伝送装置を識別するための装置ＩＤが設定される項目である。装置ＩＤは、ネットワーク内においてユニークである必要があり、例えば、図７に示すようなＮＳＡＰアドレスのＳｙｓｔｅｍＩＤフィールド（６バイト）等を利用することができる。ＳｙｓｔｅｍＩＤフィールドは、伝送装置ごとに値が異なることが保証されている。
【００５１】
ＤＣＣ管理テーブルが、図５−１の通りであった場合、チャネル１は既に使用中であるので、ＤＣＣ制御部７は、チャネル２を未使用のＬＡＰＤチャネルとして選択する。続いて、ＤＣＣ制御部７は、選択されたチャネル２に対応するＬＡＰＤコントローラ３Ｂと、新たに結線が検出されたインタフェース部１Ａとを接続するようにＤＣＣ  ＭＵＸ部２に指示する。なお、この接続は、伝送装置１００Ｅからの応答を待つため、必要十分な時間維持するようにする。
【００５２】
こうして、ＬＡＰＤコントローラ３Ｂとインタフェース部１Ａが接続された後、ＤＣＣ制御部７は、ＬＡＰＤコントローラ３Ｂの送信部５Ｂに指示して、図８に示すようなリンク確立要求を送信させる（ステップＳ１０２）。
【００５３】
この結果、ＬＡＰＤコントローラ３Ｂ内の送信部５Ｂから、ＤＣＣ  ＭＵＸ部２、インタフェース部１Ａを経由して、新設された伝送装置１００Ｅのインタフェース部１Ａにリンク確立要求が送信される。なお、ＤＣＣ制御部７は、所定の時間が経過しても、リンク確立要求に対する応答がない場合、リンク確立要求を再送させる（ステップＳ１０３）。
【００５４】
一方、伝送装置１００ＥのＤＣＣ制御部７も同様に、インタフェース部１Ａに新たにケーブルが接続されたことが検出されると、インタフェース部１Ａからリンク確立要求を送信するための処理を実行する（ステップＳ１０４）。ここでは、伝送装置１００Ｅがリンク確立要求を送信する前に、伝送装置１００Ａから送信されたリンク確立要求が伝送装置１００Ｅによって受信されたものとする。
【００５５】
伝送装置１００Ａのインタフェース部１Ａは、伝送装置１００Ｅのインタフェース部１Ａと接続されているので、伝送装置１００Ａが送信したリンク確立要求は、伝送装置１００Ｅのインタフェース部１Ａにおいて受信される。そして、受信されたリンク確立要求は、ＤＣＣ  ＭＵＸ部２によって未使用の受信部４のいずれかに転送され、その内容がＤＣＣ制御部７に通知される（ステップＳ１０５）。
【００５６】
ＤＣＣ制御部７は、インタフェース部１Ａにおいてリンク確立要求が受信された旨の通知を受けると、管理データ格納部１１に格納されているＤＣＣ管理テーブルを参照して、ＬＡＰＤコントローラ３の未使用チャネルを検索する。
【００５７】
ＤＣＣ管理テーブルが、図６−１の通りであった場合、いずれのチャネルも使用されていないので、ＤＣＣ制御部７は、チャネル１を未使用のＬＡＰＤチャネルとして選択する。続いて、ＤＣＣ制御部７は、選択されたチャネル１に対応するＬＡＰＤコントローラ３Ａと、リンク確立要求が受信されたインタフェース部１Ａとを接続するようにＤＣＣ  ＭＵＸ部２に指示する。そして、ＤＣＣ制御部７は、ＤＣＣ管理テーブルを図６−２のように更新し、チャネル１が使用中であり、インタフェース部１Ａと接続されている旨を登録する（ステップＳ１０６）。
【００５８】
こうして、ＬＡＰＤコントローラ３Ａとインタフェース部１Ａが接続された後、ＤＣＣ制御部７は、ＬＡＰＤコントローラ３Ａの送信部５Ａに指示して、図９に示すようなリンク確立応答を送信させる。この結果、ＬＡＰＤコントローラ３Ａ内の送信部５Ａから、ＤＣＣ  ＭＵＸ部２、インタフェース部１Ａを経由して、伝送装置１００Ａのインタフェース部１Ａにリンク確立応答が送信される（ステップＳ１０７）。
【００５９】
伝送装置１００ＡのＤＣＣ制御部７は、インタフェース部１Ａにおいてリンク確立応答が受信され、その旨の通知を受けると（ステップＳ１０８）、ＤＣＣ  ＭＵＸ部２に指示して、リンク確立応答を受信したインタフェース部１ＡとＬＡＰＤコントローラ３Ｂの接続を固定化させ、ＤＣＣ管理テーブルを図５−２のように更新し、チャネル２が使用中であり、インタフェース部１Ａと接続されている旨を登録する（ステップＳ１０９）。
【００６０】
続いて、伝送装置１００ＡのＤＣＣ制御部７は、当該の伝送装置の装置ＩＤを、ＬＡＰＤコントローラ３Ｂ内の送信部５Ｂに通知し、図１０に示すように、装置ＩＤが埋め込まれた接続ＩＤ通知を送信させる。接続ＩＤ通知は、ＤＣＣ  ＭＵＸ部２、インタフェース部１Ａを経由し、対向の伝送装置１００Ｅに送信される（ステップＳ１１０）。
【００６１】
接続ＩＤ通知は、伝送装置１００Ｅの受信部４Ａで受信され、その内容がＤＣＣ制御部７に通知される。ＤＣＣ制御部７は、送信された装置ＩＤを取り出し、接続ＩＤ通知が受信されたチャネル１に設定されているＤＣＣ回線の対向装置ＩＤとして、ＤＣＣ管理テーブルに格納する。この結果、伝送装置１００ＥのＤＣＣ管理テーブルは、図６−３のように更新される（ステップＳ１１１）。
【００６２】
続いて、伝送装置１００ＥのＤＣＣ制御部７は、当該の伝送装置の装置ＩＤを、ＬＡＰＤコントローラ３Ａ内の送信部５Ａに通知し、図１１に示すように、装置ＩＤが埋め込まれた接続ＩＤ通知応答を送信させる。接続ＩＤ通知応答は、ＤＣＣ  ＭＵＸ部２、インタフェース部１Ａを経由し、対向の伝送装置１００Ａに送信される（ステップＳ１１２）。
【００６３】
接続ＩＤ通知応答は、伝送装置１００Ａの受信部４Ｂで受信され、その内容がＤＣＣ制御部７に通知される。ＤＣＣ制御部７は、送信された装置ＩＤを取り出し、接続ＩＤ通知応答が受信されたチャネル２に設定されているＤＣＣ回線の対向装置ＩＤとして、ＤＣＣ管理テーブルに格納する。この結果、伝送装置１００ＡのＤＣＣ管理テーブルは、図５−３のように更新される（ステップＳ１１３）。
【００６４】
この一連の動作が伝送装置１００Ａのインタフェース部１Ｂと伝送装置１００Ｅのインタフェース部１Ｂとの間でも行われ、伝送装置１００Ａと伝送装置１００Ｅとの間に２本のＤＣＣ回線が確立される。その結果、伝送装置１００ＡのＤＣＣ管理テーブルは、図５−４のように更新され、伝送装置１００ＥのＤＣＣ管理テーブルは、図６−４のように更新される。
【００６５】
伝送装置１００ＡのＤＣＣ制御部７は、更新後のＤＣＣ管理テーブルを参照し、ＬＡＰＤコントローラ３Ｂおよび３Ｃに接続されている対向伝送装置がいずれも伝送装置１００Ｅであることを認識し、２つのチャネルを結合して使用するように、多重分離部６に通知する（ステップＳ１１４）。
【００６６】
また、伝送装置１００ＥのＤＣＣ制御部７は、更新後のＤＣＣ管理テーブルを参照し、ＬＡＰＤコントローラ３Ａおよび３Ｂに接続されている対向伝送装置がいずれも伝送装置１００Ａであることを認識し、２つのチャネルを結合して使用するように、多重分離部６に通知する（ステップＳ１１５）。
【００６７】
この後、伝送装置１００Ａおよび１００Ｅの多重分離部６は、これらのチャネルに対して送信を行う場合は、ＬＡＰＤパケットを２つのチャネルに交互に使用して送信を行うように動作し、これらのチャネルからの受信時は、２つのチャネルから受信するＬＡＰＤパケット内に含まれているシーケンス番号を参照して、番号順に並べ替えてＯＳＩプロトコル終端部８に通知するように動作する。
【００６８】
上述してきたように、本実施例１では、追加設置された伝送装置と、隣接する伝送装置の間で自律的にメッセージを交換することにより、自動的にＤＣＣ回線が確立されるように構成したので、伝送装置の追加設置時に、現地において、伝送装置に端末を直接接続して行わなければならなかった設定作業が不要となり、ネットワーク管理者の負荷が軽減される。
【００６９】
また、本実施例１では、隣接する伝送装置間に複数のＤＣＣ回線が設定された場合は、それらを束ねて１本のＤＣＣ回線として使用するように構成したので、高速で信頼性の高いＤＣＣ回線を設定することができる。
【００７０】
なお、上記の例では、伝送装置１００Ａから伝送装置１００Ｅへ向けてリンク確立要求が送信された場合を例にして説明したが、伝送装置１００Ｅから伝送装置１００Ａへ向けてリンク確立要求が送信された場合も、同様の効果が得られる。
【００７１】
また、上記の例では、伝送装置１００Ａもしくは１００ＥのＤＣＣ制御部７が、新規にケーブルが接続されたことをトリガとして、自律的にリンク確立要求を送信することとしたが、ネットワーク管理者が、ネットワーク管理端末２００を操作し、既にＯＳＩネットワークに接続されている伝送装置１００Ａに対して指示を行い、この指示をトリガとして、伝送装置１００ＡのＤＣＣ制御部７がリンク確立要求を送信することとしてもよい。
【実施例２】
【００７２】
ネットワーク管理端末２００から伝送装置に対して保守コマンドを発行するには、ＤＣＣ回線が確立されていることに加えて、各伝送装置にユニークなＴＩＤが割り当てられていることが必要となる。ところが、ＴＩＤは、初期値として、メーカ固有の固定値が設定されている場合が多く、初期値のままでは、他の伝送装置のＴＩＤと重複してしまう可能性が高い。
【００７３】
そこで、本実施例では、ネットワークに追加設置された伝送装置に対して、自動的にユニークなＴＩＤを割り当てる方法について説明することとする。
【００７４】
まず、説明にもちいるネットワーク構成の例を図１２に示す。同図に示したネットワークは、図２に示した伝送装置１００Ａと同様の構成を有する伝送装置１００Ｆ〜１００Ｊを接続して構成されている。そして、伝送装置１００Ｆには、ネットワーク全体の監視制御を行うためのネットワーク管理端末２００が接続されている。
【００７５】
図１２に示したネットワークにおいて、既にネットワーク接続が完了している伝送装置１００Ｇに伝送装置１００Ｉが新たに接続された場面を想定して、ＴＩＤの自動割り当てについて説明する。なお、前提条件として、伝送装置１００Ｇと伝送装置１００Ｉの間が、ＯＣ−３等の光ファイバケーブルまたはＥＣ−１等の同軸ケーブルをもちいて接続され、ＤＣＣ回線の確立が完了しているものとする。
【００７６】
伝送装置１００Ｉの管理データ格納部には、図７に示すようなＮＳＡＰアドレスが格納されている。このアドレスのＳｙｓｔｅｍＩＤ部は、ＯＳＩプロトコルを終端する伝送装置全てにユニークな値が割り付けられている。追加設置された伝送装置１００ＩのＴＩＤ生成部１０は、ＤＣＣ回線の確立後、管理データ格納部１１からＳｙｓｔｅｍＩＤを取得し、これを１６進数表現等の形で文字列に変換することによりユニークなＴＩＤを生成する。そして、生成したＴＩＤを当該の伝送装置のＴＩＤとして、管理データ格納部１１へ格納した後、ＯＳＩプロトコル終端部８に通知する。
【００７７】
そして、ＯＳＩプロトコル終端部８は、通知されたＴＩＤを埋め込んで、図１３に示すようなＴＩＤ設定要求を生成し、ＤＣＣ回線を通じて、隣接する伝送装置１００Ｇへ送信する。
【００７８】
伝送装置１００Ｇの管理データ格納部１１には、予めＧａｔｅｗａｙ  ＮＥである伝送装置１００ＦのＮＳＡＰアドレスが登録されており、伝送装置１００ＧのＯＳＩプロトコル終端部８は、ＴＩＤ設定要求を受信した後、宛先ＮＳＡＰアドレスを伝送装置１００ＦのＮＳＡＰアドレスに書き換えて転送する。
【００７９】
伝送装置１００Ｆは、ＴＩＤ設定要求を受信すると、ＯＳＩプロトコル終端部８を経由させて、ネットワーク管理端末２００へ転送する。ネットワーク管理端末２００に受信されたＴＩＤ設定要求は、ＬＡＮ終端部１３、コマンド受信部１５を経由して、ＴＩＤ処理部１７に通知される。そして、ＴＩＤ処理部１７は、新規に設置された伝送装置１００ＩのＴＩＤを認識し、管理データ格納部１８にＴＩＤを格納する。
【００８０】
こうして、ネットワーク管理端末２００がＴＩＤ認識した後は、既にネットワーク上に存在している他の伝送装置と同様に、ネットワーク管理端末２００から伝送装置１００ＩのＴＩＤを指定したコマンド操作が可能となる。
【００８１】
なお、上記の動作によって伝送装置１００Ｉに割り付けられるＴＩＤは、ＳｙｓｔｅｍＩＤを基にして生成されたものであり、人間にとっては無意味な値であるため、そのまま使用し続けることは好ましくない場合がある。そのような場合は、既にネットワーク管理端末２００から伝送装置１００Ｉに対して保守コマンドを実行することが可能になっているため、伝送装置のＴＩＤを変更するＴＬ−１コマンド（ＳＥＴ−ＳＩＤ）を使用して、伝送装置１００ＩのＴＩＤを任意の値に変更することができる。
【００８２】
上述してきたように、本実施例２では、ユニークであることが保証されているＳｙｓｔｅｍＩＤを基にしてＴＩＤを生成し、隣接する伝送装置を経由して、そのＴＩＤをネットワーク管理端末２００へ通知するように構成したので、追加設置された伝送装置に対して、ユニークなＴＩＤを自動的に割り当てることができる。
【００８３】
なお、本実施例２では、ＳｙｓｔｅｍＩＤを基にしてＴＩＤを生成するものとしたが、ＳｙｓｔｅｍＩＤ以外にユニークであることが保証されているＩＤ等があれば、それを基にしてＴＩＤを生成することとしてよい。
【実施例３】
【００８４】
実施例２では、追加設置された伝送装置が自身でＴＩＤを生成する例を示したが、ネットワーク管理端末２００にＴＩＤの生成を行わせることもできる。そこで、本実施例では、図１２に示したネットワークにおいて、既にネットワーク接続が完了している伝送装置１００Ｇに伝送装置１００Ｉと１００Ｊが新たに接続された場面を想定して、ネットワーク管理端末２００がＴＩＤを生成し、追加設置された伝送装置に割り当てる動作について説明する。
【００８５】
なお、前提条件として、伝送装置１００Ｇと伝送装置１００Ｉの間、および、伝送装置１００Ｇと伝送装置１００Ｊの間が、ＯＣ−３等の光ファイバケーブルまたはＥＣ−１等の同軸ケーブルをもちいて接続され、ＤＣＣ回線の確立が完了しているものとする。また、伝送装置１００Ｉと伝送装置１００Ｊには、製品出荷時のＴＩＤ初期値として「ＦＵＪＩＴＳＵ」が割り付けられていると仮定する。
【００８６】
ネットワーク管理端末２００のＴＩＤ処理部１７は、ＤＣＣ回線が新たに確立されたことが検出されると、管理データ格納部１８にアクセスして、既に存在しているＴＩＤと重複しないＴＩＤを生成する。ここで、ＴＩＤの生成は、乱数等をもちいて行ってもよいし、予め登録されたリストに含まれる単語を１つずつ取り出し、既に存在しているＴＩＤと一致しない単語を見つけ出す方式のように、有意な文字列がＴＩＤとして生成されるように構成してもよい。
【００８７】
続いて、ＴＩＤ処理部１７は、宛先ＴＩＤ＝ＦＵＪＩＴＳＵとして、図１３に示すようなＴＩＤ設定要求を生成する。生成されたＴＩＤ設定要求は、コマンド送信部１４、ＬＡＮ終端部１３を経由して、伝送装置１００ＦのＯＳＩプロトコル終端部８に通知される。
【００８８】
ＯＳＩプロトコル終端部８は、ＴＡＲＰキャッシュ１２を参照し、ＴＩＤ＝ＦＵＪＩＴＳＵのＮＳＡＰアドレスが登録されているかどうか確認する。ＴＡＲＰキャッシュ１２は、図１４に示すように、ＴＩＤとＮＳＡＰアドレスの対応を記憶するテーブルである。
【００８９】
伝送装置１００Ｉと伝送装置１００Ｊの設置直後においては、伝送装置１００ＦのＴＡＲＰキャッシュ１２には、ＴＩＤ＝ＦＵＪＩＴＳＵのエントリがない。そこで、ＯＳＩプロトコル終端部８は、ＴＩＤとして「ＦＵＪＩＴＳＵ」が割り当てられた伝送装置のＮＳＡＰアドレスを調べるために、ＴＡＲＰ要求を生成し、隣接する伝送装置１００Ｇおよび伝送装置１００Ｈへ送信する。
【００９０】
ＴＡＲＰ要求を受信した伝送装置１００Ｇは、ＯＳＩプロトコル終端部８に通知する。ＯＳＩプロトコル終端部８は、ＴＡＲＰキャッシュ１２を参照し、ＴＩＤ＝ＦＵＪＩＴＳＵのエントリが存在するかどうかチェックする。ここでも、ＴＡＲＰキャッシュ１２には該当するエントリがないため、ＯＳＩプロトコル終端部８は隣接する伝送装置１００Ｉ、伝送装置１００Ｊ、伝送装置１００ＨにＴＡＲＰ要求を転送する。
【００９１】
こうして、伝送装置１００Ｉと伝送装置１００Ｊは、ほぼ同時にＴＡＲＰ要求を受け付ける。ＴＡＲＰ要求は、ＯＳＩプロトコル終端部８に通知され、まず、自装置のＴＩＤと比較される。ここで、ＴＡＲＰ要求内のＴＩＤと、自装置のＴＩＤとが一致するため、伝送装置１００Ｉと伝送装置１００Ｊは、伝送装置１００ＧにＴＡＲＰ応答を返す。ＴＡＲＰ応答には、それぞれの伝送装置のＮＳＡＰアドレスが埋め込まれる。
【００９２】
ここで、伝送装置１００Ｇは、伝送装置１００ＪのＴＡＲＰ応答よりも先に、伝送装置１００ＩからＴＡＲＰ応答を受信したものとする。ＴＡＲＰ応答を受信した伝送装置１００ＧのＯＳＩプロトコル終端部８は、ＴＡＲＰキャッシュ１２に、ＴＩＤ＝ＦＵＪＩＴＳＵのエントリを作成し、伝送装置１００ＩのＮＳＡＰアドレスをそのエントリに設定する。そして、ＴＡＲＰ応答を伝送装置１００Ｆへ転送する。
【００９３】
伝送装置１００Ｇは、その後、伝送装置１００ＪからのＴＡＲＰ応答も受信するが、ＴＡＲＰキャッシュ１２には既にＴＩＤ＝ＦＵＪＩＴＳＵのエントリが存在するため、そのＴＡＲＰ応答を破棄する。
【００９４】
ＴＡＲＰ応答を受信した伝送装置１００ＦのＯＳＩプロトコル終端部８は、伝送装置１００ＧのＯＳＩプロトコル終端部８と同様に、ＴＩＤ＝ＦＵＪＩＴＳＵのエントリをＴＡＲＰキャッシュ１２に作成する。この一連の動作により、伝送装置１００Ｆは新設された伝送装置１００ＩのＮＳＡＰアドレスを知ることができ、伝送装置１００Ｆに接続されたネットワーク管理端末から伝送装置１００Ｉを操作することが可能になる。
【００９５】
ここで、ネットワーク管理端末２００のＴＩＤ処理部１７は、伝送装置１００ＩのＴＩＤを既に生成済みのユニークなＴＩＤに変更し、伝送装置１００ＩのＴＩＤの自動割り当ては完了する。
【００９６】
続いて、ネットワーク管理端末２００のＴＩＤ処理部１７は、新たに確立されたことが検出されたもう１つのＤＣＣ回線に接続された伝送装置のために、別のユニークなＴＩＤを生成する。そして、もう１つのＤＣＣ回線に接続された伝送装置のＴＩＤを変更するため、宛先ＴＩＤ＝ＦＵＪＩＴＳＵとして、ＴＩＤ設定要求を生成する。
【００９７】
生成されたＴＩＤ設定要求は、送装置１００ＦのＯＳＩプロトコル終端部８に通知され、ＯＳＩプロトコル終端部８は、ＴＡＲＰキャッシュ１２を参照し、ＴＩＤ＝ＦＵＪＩＴＳＵのＮＳＡＰアドレスが登録されているかどうか確認する。ここで、前述の動作により、ＴＩＤ＝ＦＵＪＩＴＳＵのＮＳＡＰアドレスとして、伝送装置１００ＩのＮＳＡＰアドレスが登録されているため、ＯＳＩプロトコル終端部８は、宛先アドレスに伝送装置１００ＩのＮＳＡＰアドレスを設定して、ＴＩＤ設定要求を伝送装置１００Ｉへ送信する。
【００９８】
伝送装置１００ＩのＯＳＩプロトコル終端部８は、ＴＩＤ設定要求を受信するが、既に自装置のＴＩＤは、ＦＵＪＩＴＳＵから他の値に変更されているため、図１５に示すようなＴＩＤ設定エラー応答を伝送装置１００Ｇへ返信する。
【００９９】
伝送装置１００ＧのＯＳＩプロトコル終端部８は、ＴＩＤ設定エラー応答を受信し、ＴＩＤ＝ＦＵＪＩＴＳＵエントリが無効であることを認識すると、ＴＡＲＰキャッシュ１２からＴＩＤ＝ＦＵＪＩＴＳＵのエントリを消去し、ＴＩＤ設定エラー応答を伝送装置１００Ｆへ転送する。
【０１００】
伝送装置１００ＦのＯＳＩプロトコル終端部８も、ＴＩＤ設定エラー応答を受信し、ＴＩＤ＝ＦＵＪＩＴＳＵエントリが無効であることを認識すると、ＴＡＲＰキャッシュ１２からＴＩＤ＝ＦＵＪＩＴＳＵのエントリを消去する。そして、ＴＩＤ＝ＦＵＪＩＴＳＵである伝送装置のＮＳＡＰアドレスを知るために、隣接する伝送装置１００Ｇと伝送装置１００ＨにＴＡＲＰ要求を送信する。
【０１０１】
以降、前述のネットワーク管理端末２００、伝送装置１００Ｆ、伝送装置１００Ｉ間で行われたＴＩＤの自動設定動作が、同様に、ネットワーク管理端末２００、伝送装置１００Ｆ、伝送装置１００Ｊ間でも行われ、伝送装置１００ＪのＴＩＤがユニークな値に変更される。
【０１０２】
上述してきたように、本実施例３では、全ての伝送装置のＴＩＤを認識しているネットワーク管理端末２００がユニークなＴＩＤを生成し、そのＴＩＤを追加設置された伝送装置に設定するように構成したので、追加設置された伝送装置に対して、ユニークなＴＩＤを自動的に割り当てることができる。
【実施例４】
【０１０３】
本実施例では、追加設置された伝送装置に隣接する伝送装置がＴＩＤを生成する例について説明する。
【０１０４】
まず、説明にもちいるネットワーク構成の例を図１６に示す。同図に示したネットワークは、図２に示した伝送装置１００Ａと同様の構成を有する伝送装置１００Ｋ〜１００Ｎを接続して構成されている。そして、伝送装置１００Ｋには、ネットワーク全体の監視制御を行うためのネットワーク管理端末２００が接続されている。
【０１０５】
図１６に示したネットワークにおいて、既にネットワーク接続が完了している伝送装置１００Ｌに伝送装置１００Ｍが新たに接続され、伝送装置１００Ｍに伝送装置１００Ｎが新たに接続された場面を想定して、ＴＩＤの自動割り当てについて説明する。なお、前提条件として、各伝送装置間が、ＯＣ−３等の光ファイバケーブルまたはＥＣ−１等の同軸ケーブルをもちいて接続され、ＤＣＣ回線の確立が完了しているものとする。
【０１０６】
また、伝送装置１００Ｍと伝送装置１００Ｎには、製品出荷時のＴＩＤ初期値として「ＦＵＪＩＴＳＵ」が割り付けられており、ネットワークに既に接続されている伝送装置１００ＬにはＴＩＤとして「ＫＡＷＡＳＡＫＩ」が付与されているとする。
【０１０７】
ＤＣＣ回線の確立後、伝送装置１００ＭのＴＩＤ生成部１０は、隣接する伝送装置１００ＬにＴＩＤの割付を依頼するため、図１７に示すようなＴＩＤ生成要求を生成し、ＯＳＩプロトコル終端部８、多重分離部６、送信部５、ＤＣＣ  ＭＵＸ部２、インタフェース部１を経由し、隣接する伝送装置１００Ｌに送信する。
【０１０８】
伝送装置１００Ｌは、ＯＳＩプロトコル終端部８にてＴＩＤ生成要求を受信し、ＴＩＤ生成部１０に通知する。ＴＩＤ生成部は管理データ格納部１１に格納されている自装置のＴＩＤを抽出し、このＴＩＤの後ろに連番を追加することで新しいＴＩＤを生成する。例えば、伝送装置１００ＬのＴＩＤ生成部１０がＴＩＤの生成を依頼されたのが２回目であれば、「ＫＡＷＡＳＡＫＩ−２」のようなＴＩＤが生成される。
【０１０９】
既にネットワーク接続が完了している伝送装置１００ＬのＴＩＤは、ユニークであるはずであり、それに連番を付加することでユニークなＴＩＤを容易に生成することができる。なお、既存のＴＩＤに付加する文字列は、重複することがなければ、連番である必要はなく、例えば、現在時刻を示す文字列や乱数であってもよい。
【０１１０】
そして、伝送装置１００ＬのＴＩＤ生成部１０は、生成された新しいＴＩＤと、予め管理データ格納部１１に格納されているＧａｔｅｗａｙ  ＮＥ（この例の場合は、伝送装置１００Ｋ）のＮＳＡＰアドレスを埋め込んで、図１８に示すようなＴＩＤ生成応答を生成する。ＴＩＤ生成応答は、ＯＳＩプロトコル終端部８、多重分離部６、送信部５、ＤＣＣ  ＭＵＸ部２、インタフェース部１を経由して、伝送装置１００Ｍに返信される。
【０１１１】
伝送装置１００Ｍは、ＯＳＩプロトコル終端部８にてＴＩＤ生成応答を受信する。そして、返信されたＴＩＤを自装置のＴＩＤとして設定するため、ＴＩＤ生成部１０が、管理データ格納部１１にＴＩＤを格納する。さらに、返信されたＴＩＤを自装置のＴＩＤとしてネットワーク管理端末２００に通知するため、ＴＩＤ生成応答に格納されている、Ｇａｔｅｗａｙ  ＮＥのＮＳＡＰアドレスを宛先アドレスとして、ＴＩＤ設定要求を送信する。
【０１１２】
伝送装置１００Ｍから送信されたＴＩＤ設定要求は、伝送装置１００Ｌを経由して、伝送装置１００Ｋに送信される。ＴＩＤ設定要求は、伝送装置１００ＫのＯＳＩプロトコル終端部８にて受信され、伝送装置１００Ｋに接続されているネットワーク管理端末２００に通知される。そして、ＴＩＤ処理部１７は、新規に設置された伝送装置１００ＭのＴＩＤを認識し、管理データ格納部１８にＴＩＤを格納する。
【０１１３】
以上の一連の動作により、伝送装置１００ＭのＴＩＤ設定が完了する。また、ＴＩＤの割り当てが完了した伝送装置１００Ｍと、初期値のＴＩＤが割り付けられたままの伝送装置１００Ｎとの間でも、同様の動作を行うことにより、伝送装置１００ＮにユニークなＴＩＤが割り当てられる。伝送装置１００Ｎに割り当てられるＴＩＤは、伝送装置１００ＭのＴＩＤの後ろに新たな文字を追加したものであり、例えば、「ＫＡＷＡＳＡＫＩ−２−１」のような文字列となる。
【０１１４】
上述してきたように、本実施例４では、追加設置された伝送装置に隣接する伝送装置が、自装置のＴＩＤに連番等を追加することによってユニークなＴＩＤを生成し、そのＴＩＤを追加設置された伝送装置に通知するように構成したので、追加設置された伝送装置に対して、ユニークなＴＩＤを自動的に割り当てることができる。
【０１１５】
（付記１）第１の伝送装置と第２の伝送装置との間で監視制御用の回線を自動設定する監視制御回線設定方法であって、
前記第１の伝送装置が、前記第２の伝送装置へリンク確立要求を送信するリンク確立要求工程と、
前記リンク確立要求を受信した前記第２の伝送装置が、前記第１の伝送装置との間で監視制御用の回線を確立するためのチャネルを決定し、そのチャネルを通じて、前記第１の伝送装置へリンク確立応答を送信するリンク確立応答工程と、
前記リンク確立応答を受信した前記第１の伝送装置が、前記リンク確立要求を送信したチャネルを前記第２の伝送装置との間で監視制御用の回線を確立するためのチャネルに割り当てる接続確立工程と
を含んだことを特徴とする監視制御回線設定方法。
【０１１６】
（付記２）監視制御用の回線が確立された後に、前記第１の伝送装置と第２の伝送装置が自装置の識別番号を送信し合う識別番号交換工程と、
前記識別番号交換工程において取得された対向装置の識別番号が、既に確立されている他の監視制御用の回線を通じて取得された識別番号と同一である場合に、同一の識別番号が取得された監視制御用の回線を束ねて使用するように設定する回線結合工程と
をさらに含んだことを特徴とする付記１に記載の監視制御回線設定方法。
【０１１７】
（付記３）前記第１の伝送装置または第２の伝送装置がネットワークに新規設置された新規伝送装置である場合に、
監視制御用の回線が確立された後に、前記新規伝送装置が、自身に予め割り当てられた固有の番号に基づいて、自装置を識別するためのＩＤを生成するＩＤ生成工程と、
前記ＩＤ生成工程において生成されたＩＤを、前記ネットワークを全体制御するネットワーク管理端末へ通知するＩＤ通知工程と
をさらに含んだことを特徴とする付記１または２に記載の監視制御回線設定方法。
【０１１８】
（付記４）前記第１の伝送装置または第２の伝送装置がネットワークに新規設置された新規伝送装置である場合に、
監視制御用の回線が確立された後に、前記ネットワークを全体制御するネットワーク管理端末が、自身が記憶する全伝送装置のＩＤと重複することがないように前記新規伝送装置を識別するためのＩＤを生成するＩＤ生成工程と、
前記ＩＤ生成工程において生成されたＩＤを、前記新規伝送装置へ通知するＩＤ通知工程と
をさらに含んだことを特徴とする付記１または２に記載の監視制御回線設定方法。
【０１１９】
（付記５）前記第１の伝送装置または第２の伝送装置がネットワークに新規設置された新規伝送装置である場合に、
監視制御用の回線が確立された後に、前記新規伝送装置の対向の伝送装置が、自装置を識別するためのＩＤにユニークな文字列を付加することにより、前記新規伝送装置を識別するためのＩＤを生成するＩＤ生成工程と、
前記ＩＤ生成工程において生成されたＩＤを、前記新規伝送装置へ通知するＩＤ通知工程と
をさらに含んだことを特徴とする付記１または２に記載の監視制御回線設定方法。
【０１２０】
（付記６）前記監視制御用の回線は、ＳＯＮＥＴ／ＳＤＨ信号のオーバヘッド部をもちいて実現されるＤＣＣ回線であることを特徴とする付記１〜５のいずれか１つに記載の監視制御回線設定方法。
【０１２１】
（付記７）前記監視制御用の回線は、ＳＯＮＥＴ／ＳＤＨ信号のオーバヘッド部をもちいて実現されるＤＣＣ回線であり、前記固有の番号は、自装置のＮＳＡＰアドレスの一部であることを特徴とする付記３に記載の監視制御回線設定方法。
【産業上の利用可能性】
【０１２２】
以上のように、本発明に係る監視制御回線設定方法は、隣接する伝送装置の間に監視制御用の回線を設定するに有用であり、特に、現地での設定作業を行うことなく、新規設置された伝送装置を遠隔のネットワーク管理端末から制御することが必要な場合に適している。
【図面の簡単な説明】
【０１２３】
【図１】ネットワーク構成の一例を示す図である。
【図２】伝送装置の構成を示すブロック図である。
【図３】ネットワーク管理端末の構成を示すブロック図である。
【図４】ＤＣＣ回線の自動設定の処理手順を示すシーケンス図である。
【図５−１】伝送装置１００ＡのＤＣＣ管理テーブルの一例を示す図である。
【図５−２】伝送装置１００ＡのＤＣＣ管理テーブルの一例を示す図である。
【図５−３】伝送装置１００ＡのＤＣＣ管理テーブルの一例を示す図である。
【図５−４】伝送装置１００ＡのＤＣＣ管理テーブルの一例を示す図である。
【図６−１】伝送装置１００ＥのＤＣＣ管理テーブルの一例を示す図である。
【図６−２】伝送装置１００ＥのＤＣＣ管理テーブルの一例を示す図である。
【図６−３】伝送装置１００ＥのＤＣＣ管理テーブルの一例を示す図である。
【図６−４】伝送装置１００ＥのＤＣＣ管理テーブルの一例を示す図である。
【図７】ＮＳＡＰアドレスフォーマットを示す図である。
【図８】リンク確立要求のフォーマットを示す図である。
【図９】リンク確立応答のフォーマットを示す図である。
【図１０】接続ＩＤ通知のフォーマットを示す図である。
【図１１】接続ＩＤ通知応答のフォーマットを示す図である。
【図１２】ネットワーク構成の一例を示す図である。
【図１３】ＴＩＤ設定要求のフォーマットを示す図である。
【図１４】ＴＡＲＰキャッシュの一例を示す図である。
【図１５】ＴＩＤ設定応答（エラー）のフォーマットを示す図である。
【図１６】ネットワーク構成の一例を示す図である。
【図１７】ＴＩＤ生成要求のフォーマットを示す図である。
【図１８】ＴＩＤ生成応答のフォーマットを示す図である。
【符号の説明】
【０１２４】
１Ａ〜１Ｃ  インタフェース部
２  ＤＣＣ  ＭＵＸ部
３Ａ〜３Ｃ  ＬＡＰＤコントローラ
４Ａ〜４Ｃ  受信部
５Ａ〜５Ｃ  送信部
６  多重分離部
７  ＤＣＣ制御部
８  ＯＳＩプロトコル終端部
９  ＴＩＤ受信部
１０  ＴＩＤ生成部
１１  管理データ格納部
１２  ＴＡＲＰキャッシュ
１３  ＬＡＮ終端部
１４  コマンド送信部
１５  コマンド受信部
１６  ネットワーク管理部
１７  ＴＩＤ処理部
１８  管理データ格納部
１００Ａ〜１００Ｎ  伝送装置
２００  ネットワーク管理端末
３００  光ファイバケーブル
４００  ＬＡＮ
【図１】
2008079116.tif 000003
【図２】
2008079116.tif 000004
【図３】
2008079116.tif 000005
【図４】
2008079116.tif 000006
【図５−１】
2008079116.tif 000007
【図５−２】
2008079116.tif 000008
【図５−３】
2008079116.tif 000009
【図５−４】
2008079116.tif 000010
【図６−１】
2008079116.tif 000011
【図６−２】
2008079116.tif 000012
【図６−３】
2008079116.tif 000013
【図６−４】
2008079116.tif 000014
【図７】
2008079116.tif 000015
【図８】
2008079116.tif 000016
【図９】
2008079116.tif 000017
【図１０】
2008079116.tif 000018
【図１１】
2008079116.tif 000019
【図１２】
2008079116.tif 000020
【図１３】
2008079116.tif 000021
【図１４】
2008079116.tif 000022
【図１５】
2008079116.tif 000023
【図１６】
2008079116.tif 000024
【図１７】
2008079116.tif 000025
【図１８】
2008079116.tif 000026